(57)【要約】      （修正有）【課題】簡便な構造を持ち、携行性が高く、実用性のある小型、軽量、水抵抗の少ないデザイン性にも優れた浮き袋を提供する。【解決手段】圧縮気体封入本体内には気体が圧縮封入される。たたみ込み方式浮き袋１３はおりたたまれ、はめ込み式カバー２０内に格納される。浮き袋１３は栓部品３に接着されており、かつ、框体部での穴８に、框体部での栓部品すり抜けスリットから差し込まれた後、框体部に接着される。栓部品３にある栓部品紐取り付け部４から袋１３の中央を通り、十分な余裕の長さを保ちテーパー部軟性材１７の貫通穴を貫き、引きリング１９の引き紐リング取り付け部４２まで引き紐１８が結ばれている。緊急時に引きリング１９を強く引くと、栓部品３が破砕され圧縮気体が袋１３内に吹き出され、浮き袋となる。【選択図】図２
2011037421.tif 000002
【特許請求の範囲】
【請求項１】
框体部１における圧縮気体の封入構造。
【請求項２】
栓部品３、栓部品紐取り付け部４、栓部品周囲切れ込み５、栓部品３での袋１３内空気抜き穴７の構造。
【請求項３】
たたみ込み方式浮き袋１３の構造。
【請求項４】
バルブ（雄ネジ付き）２９、バルブ凸部３０、バルブＤ型部３１、バルブ口金３２、バルブ貫通孔３３、バルブ穴３４、バルブ口金支え３５、バルブクッション３６、バルブワッシャー３７、バルブナット３８、チューブ３９およびキャップ４０の構造。
【請求項５】
框体部１周囲突起９、框体部周囲バネ１０の構造。
【請求項６】
栓部品紐取り付け部４に、引き紐４１の一端を結び、袋１３内およびテーパー部軟性材１７の貫通孔を経て、引き紐リング取り付け部４２に結ばれる構造。
【請求項７】
袋１３の元部において、袋元部リング１４を巻き込み接着する構造。
【請求項８】
袋元部リング１４と栓部品３を接着し、さらに、框体部１での栓部品すり抜けスリット１１から栓部品３挿入口に差し入れ、框体部１と接着させる構造。
【請求項９】
テーパー部品１５、テーパー部根元内部切れ込み１６、およびテーパー部軟性材１７の構造。
【請求項１０】
引きリング留め２１の構造。
【請求項１１】
框体部１での栓部品すり抜けスリット１１の構造
【請求項１２】
框体部１紐取り付け部１２、カバー紐取り付け部２２、およびつなぎ紐４１の構造。
【請求項１３】
框体装着凸部２、装着凹部２４、装着ロックバネ２５、装着ベルト取り付け部４７、装着ベルト２６、装着ベルトマジックテープ２７、装着ベルトミシン目２８の構造。
【請求項１４】
はめ込み式カバー２０、およびはめ込み式カバースリットの構造。
【請求項１５】
引きリング１９の構造。
【請求項１６】
框体部１での穴８の構造。
【発明の詳細な説明】
【技術文書】
【０００１】本発明は、圧縮気体を框体内に封じ、側腕等の身につけ、非常時は圧縮気体をたたみ込み方式浮き袋内に急速膨張させ救命用の浮き袋として使用できるようにしたものである。
【背景技術】
【０００２】
【先行技術分野】
【０００３】
【発明の概要】
【発明が解決しようとする課題】
【０００４】一般的な浮き袋では、水泳の練習時には邪魔である。また、海や川、プールなどでの水遊び時、一般的な浮き袋を膨せたまま持ち歩くことも不便である。今まで、簡便な構造を持ち、携行性があり、実用性の高い浮き袋が国内外問わず存在しなかった。
また、一般的な浮き袋を幼児以上の年令のものが、水遊び時、水泳時に常時身につける事はない。
本発明は、小型、軽量、デザイン性に優れており、乳児から大人まで身につけることができるものである。
また、水害等が想定される場合の防災用としても携行することができる。
本発明は上記の課題を解消するためになされたものである。
【課題を解決するための手段】
【０００５】圧縮気体封入本体１（框体部１と略す）内には、気体が圧縮封入される。たたみ込み方式浮き袋１３（袋１３と略す）はおりたたまれ、はめ込み式カバー２０内に格納される。おりたたむ時は、框体部１での穴８を通り、栓部品３での袋１３内空気抜き穴７に細い注射針等を等して袋１３内の空気を抜く。空気を抜いた後、栓部品３での袋１３内空気抜き穴７および框体部１での穴８は、接着剤等で封じられる。
袋１３は栓部品３に接着されており、かつ、框体部での穴８に、框体部１での栓部品すり抜けスリット１１から差し込まれた後、框体部１に接着される。栓部品３にある栓部品紐取り付け部４から袋１３の中央を通り、十分な余裕の長さを保ちテーパー部軟性材１７の貫通穴を貫き、引きリング１９の引き紐リング取り付け部４２まで引き紐１８が結ばれている。
緊急時に引きリング１９を強く引くと、栓部品３が破砕され圧縮気体が袋１３内に吹き出され、浮き袋となる。
又、テーパー部軟性材１７の貫通穴の直径は、引き紐１８が通る程度の細さである。この貫通穴は、袋１３の膨張とともにテーパー部品根元内部切れ込み１６が拡がり、テーパー部軟性材１７をつぼませることによって閉じられる。
人の体重に応じて框体部１の容量や気体の圧縮程度を調整する。
また、必要に応じて、人の片腕や両腕に装着することができる。
袋１３の素材は極薄で丈夫、かつ、水や気体を通さない素材である框体部１は、軽くて丈夫な材料で作られ、表面には遮熱塗料や水抵抗の小さい塗料が塗布されている。
装着ベルト２６も、極薄で丈夫、水に対して浮力を持ち、水抵抗の小さな素材で作られる。
【発明の効果】
【０００６】小型化が可能となり、水泳練習時でも邪魔にならない。又、海、川、プールなどでの水遊び時、側腕部（片腕又は両腕）に必要に応じて身につける事で水の事故から命を救う一助となる。水害などが想定される場合の防災用としても使用可能である。
【図面の簡単な説明】
【０００７】
【図１】本発明の正面外観図である。（装着ベルト２６等を外した状態である。）
【図２】本発明の側面断面図である。
【図３】本発明の上方俯瞰図である。
【図４】本発明の底面俯瞰図である。
【図５】本発明の框体装着凸部２の裏面図である。
【図６】本発明の袋１３、栓部品３、栓部品紐取り付け部４および框体部１との接着断面の拡大図である。
【図７】本発明の栓部品３での袋１３内空気抜き穴７と筐体部での穴８との延長線上での拡大断面図である。
【図８】本発明の栓部品３の拡大正面図である。
【図９】本発明の栓部品３の拡大裏面図である。
【図１０】本発明の栓部品３の拡大側面図である。
【図１１】本発明の框体部１での栓部品すり抜けスリット１１の拡大図である。
【図１２】本発明の袋元部リング１４の拡大正面図である。
【図１３】本発明の框体部１での穴８に、袋１３の元部を袋元部リングに巻きつき接着された袋１３と栓部品３が框体部１での栓部品すり抜けスリット１１から框体部１内に差し込まれ、框体部１での穴８と栓部品３の中心が合致した時の袋１３を透して見た時の透視俯瞰拡大図である。
【図１４】本発明のテーパー部品１５とテーパー部軟性材１７との接着断面拡大図である。
【図１５】本発明のテーパー部品１５とテーパー部軟性材１７との接着正面拡大図である。
【図１６】本発明の引きリング１９を引きリング留め２１にはめとめた時の拡大斜視図である。
【図１７】本発明の装着凹部２４の正面図である。
【図１８】本発明の装着凹部２４の上方俯瞰図である。
【図１９】本発明の装着ロックバネ２５の正面図である。
【図２０】本発明の装着凹部２４の片端に、装着ベルトマジックテープ２７が縫いつけられた装着ベルト２６が巻かれ装着ベルトミシン目２８で縫いつけられた時の正面図である。
【図２１】本発明のバルブ口金３２、バルブ穴３４の外観図である。
【図２２】本発明の〔図２１〕の断面図である。
【図２３】本発明の〔図２１〕の上面図である。
【図２４】本発明のバルブ（雄ネジ付き）２９の側面断面図である。
【図２５】本発明のバルブ（雄ネジ付き）２９にあるバルブＤ型部３１の側面断面図である。
【図２６】本発明のバルブ口金３２の外周に接着剤を塗布（除く、バルブ穴３４、バルブ貫通孔３３）し、バルブ口金支え３５に押し込んだ時の断面図である。
【図２７】本発明のバルブ口金支え３５の外周に接着剤を塗布（除く、バルブ穴３４、バルブ貫通孔３３）し、バルブ（雄ネジ付き）２９に押し込んだ時の断面図である
【図２８】本発明の框体部１のバルブ口６に、図２７で構成されたものが差し込まれ、バルブＤ型部３１にて固定され、さらに、バルブクッション３６、バルブワッシャー３７、バルブナット３８およびチューブ３９が取り付けられ、バルブナット３８を締める前の框体部１を断面とした時の拡大側面図である。
【図２９】本発明の側腕装着時のイメージ図である。
【図３０】本発明の引きリング１９が引かれ、袋１３が膨張した時の框体部１と袋１３の断面、および、はめ込み式カバー２０、栓部品紐取り付け部４、テーパー部品１５、テーパー部軟性材１７、引き紐１８、引きリング１９、框体部１紐取り付け部１２、カバー紐取り付け部２２、つなぎ紐４１の状態イメージ図である。
【図３１】本発明のはめ込み式カバー２０に在る、はめ込み式カバースリット２３の正面拡大図である。
【図３２】本発明バブル口６の斜視図である。
【発明を実施するための形態】
【０００８】以下、本発明の実施の形態について説明する。
（イ）．バルブ口金支え３５に、接着剤を外周に塗布（除く、バルブ穴３４およびバルブ貫通孔３３）したバルブ口金３２を押し込む。さらに、バルブ口金支え３５の外周に接着剤を塗布し、バルブ（雄ネジ付き）２９に押し入れる
（ロ）．框体部１および框体装着凸部２は一体成型加工する。
この成型では、バルブ口６、框体部周囲突起９、框体部１での穴８および框体部１紐取り付け部１２も同時に行う。
上記成型された框体部１のバルブ口６に、（イ）が差し込まれ、バルブ口６を外側、内側ではさむように、バルブクッション３６、バルブワッシャー３７、バルブナット３８が取り付けられ、両方のバブルナット３８でしっかりと締める。接着剤を両方に塗布し完全に密着させる。
また、バルブ穴３４を覆い被せるように、バルブ口金３２にチューブ３６を取り付ける。
（ハ）．框体部１周囲突起９に、框体部１周囲バネ１０を取り付ける。
（ニ）．栓部品３および栓部品紐取り付け部４を一体成型する。また、框体部１での穴８の延長上に該当する所に、栓部品３での袋１３内空気抜き穴７を穿つ。これらの穴の直径は微細である。
（ホ）．栓部品紐取り付け部４に、引き紐１８をしっかりと結ぶ。
（ヘ）．テーパー部品根元内部切れ込み１６が施されたテーパー部品１５に、外周に接着剤を塗布したテーパー部軟性材１７を差し入れ接着する。
（ト）．（ホ）の引き紐の片方を、袋１３内で十分なたるみ（袋１３の膨張時に膨張の邪摩にならない長さ）を持たせ、テーパー部軟性材１７の貫通孔４４を通して外に出す。
袋１３の元部は、袋元部リング１４を巻き込むように接着する。
（チ）．袋１３に接着された栓部品３を、框体部１での栓部品すり抜けスリットから栓部品３挿入口４５をすり抜け框体部１内に挿入する。
栓部品挿入口４５と栓部品３との中心を合わせて、栓部品３を框体部１に接着する。
（リ）．框体部１での穴８を通して、栓部品３での袋１３内空気抜き穴７に細い注射針などを差し、袋１３内の空気を抜き袋１３をたたむ。
たたみ込んだ後、両穴を接着剤で封じる。
（ヌ）．引き紐１８のもう一端は、はめ込み式カバー２０の貫通穴４６を通り、引き紐リング取り付け部４２に結ぶ。はめ込み式カバー２０を、框体部周囲突起９にあて、しっかりとはめ込む。
カバー紐取り付け部２２と框体部１紐取り付け部１２をつなぎ紐４１で結ぶ。
（ル）．装着凹部２４に、装着ロックバネ２５を取り付ける。
又、装着ベルト取り付け部４７に装着ベルト２６の片端を巻き装着ベルトミシン目２８の様に縫いつける。この時、既に装着ベルトマジックテープ２７は装着ベルト２６に縫いつけてある。
（ヲ）．バルブ口金３２より、圧縮気体を注入し、キャップ４０を取り付ける
又、引きリング１９を、引きリング留め２１にはめ、とめる。
（ワ）．圧縮気体を注入したものを水に沈め、漏れが無いかチェックを行う。
【符号の説明】
【０００９】  １  圧縮気体封入本体（框体部１と略す）
２  框体装着凸部
３  栓部品
４  栓部品紐取り付け部
５  栓部品円周切れ込み
６  バルブ口
７  栓部品３での袋１３内空気抜き穴
８  框体部１での穴
９  框体部１周囲突起
１０  框体部１周囲バネ
１１  框体部１での栓部品すり抜けスリット
１２  框体部１紐取り付け部
１３  たたみ込み方式浮き袋（袋１３と略す）
１４  袋元部リング
１５  テーパー部品
１６  テーパー部品根元内部切れ込み
１７  テーパー部軟性材
１８  引き紐
１９  引きリング
２０  はめ込み式カバー
２１  引きリング留め
２２  カバー紐取り付け部
２３  はめ込み式カバースリット
２４  装着凹部
２５  装着ロックバネ
２６  装着ベルト
２７  装着ベルトマジックテープ
２８  装着ベルトミシン目
２９  バルブ（雄ネジ付き）
３０  バルブ凸部
３１  バルブＤ型部
３２  バルブ口金
３３  バルブ貫通孔
３４  バルブ穴
３５  バルブ口金支え
３６  バルブクッション
３７  バルブワッシャー
３８  バルブナット
３９  チューブ
４０  キャップ
４１  つなぎ紐
４２  引き紐リング取り付け部
４３  框体装着凸部へこみ
４４  テーパー部軟性材１７の貫通孔
４５  栓部品３挿入口
４６  はめ込み式カバー貫通穴
４７  装着ベルト取り付け部
【図１】
2011037421.tif 000003
【図２】
2011037421.tif 000004
【図３】
2011037421.tif 000005
【図４】
2011037421.tif 000006
【図５】
2011037421.tif 000007
【図６】
2011037421.tif 000008
【図７】
2011037421.tif 000009
【図８】
2011037421.tif 000010
【図９】
2011037421.tif 000011
【図１０】
2011037421.tif 000012
【図１１】
2011037421.tif 000013
【図１２】
2011037421.tif 000014
【図１３】
2011037421.tif 000015
【図１４】
2011037421.tif 000016
【図１５】
2011037421.tif 000017
【図１６】
2011037421.tif 000018
【図１７】
2011037421.tif 000019
【図１８】
2011037421.tif 000020
【図１９】
2011037421.tif 000021
【図２０】
2011037421.tif 000022
【図２１】
2011037421.tif 000023
【図２２】
2011037421.tif 000024
【図２３】
2011037421.tif 000025
【図２４】
2011037421.tif 000026
【図２５】
2011037421.tif 000027
【図２６】
2011037421.tif 000028
【図２７】
2011037421.tif 000029
【図２８】
2011037421.tif 000030
【図２９】
2011037421.tif 000031
【図３０】
2011037421.tif 000032
【図３１】
2011037421.tif 000033
【図３２】
2011037421.tif 000034